(57)【特許請求の範囲】
【請求項１】
ユーザ機器（ＵＥ）の装置であって、
準直交多元接続領域（ＱＯＭＡ領域）内のＱＯＭＡリソースを使用して拡張ノードＢ（ｅＮＢ）と通信するトランシーバであり、前記ＱＯＭＡ領域は、直交多元接続領域（ＯＭＡ領域）及び非直交多元接続領域（ＮＯＭＡ領域）を含み、前記ＯＭＡ領域は、ＵＥが直交リソースに割り当てられたＯＭＡリソースを含み、前記ＮＯＭＡ領域は、ＵＥが非直交リソースに割り当てられたＮＯＭＡリソースを含む、前記トランシーバと、
処理回路であり、
ＱＯＭＡリソースの割り当てを受信するよう前記トランシーバを構成し、前記ＱＯＭＡリソースは前記ＮＯＭＡリソース及び前記ＯＭＡリソースを含み、
送信されるデータが少なくとも１つの予め定められた条件に適合することの判断に応答して、前記ＮＯＭＡリソースを使用してデータを送信するよう前記トランシーバを構成し、
前記送信されるデータが前記少なくとも１つの予め定められた条件に適合しないことの判断に応答して、前記ＯＭＡリソースを使用してデータを送信するよう前記トランシーバを構成する、前記処理回路と、
を備え、
前記処理回路は、
前記データの最初の伝送に対する肯定（ＡＣＫ）応答が前記ｅＮＢから受信されていないとする判断に応答して、前記データの前記最初の伝送に関連付けけられるデータレート及び変調及び符号化方法（ＭＣＳ）を使用して、前記ＮＯＭＡリソースを使用して前記データを再送信する、
装置。
【請求項２】
前記少なくとも１つの予め定められた条件は、最大許容ＮＯＭＡレート未満で送信される前記データ及び予め定められた数未満のパケットを有する前記データを含む、請求項１に記載の装置。
【請求項３】
前記処理回路は、マスタ情報ブロック、システム情報ブロック、及びＵＥ固有の専用無線リソース制御シグナリングのうちの少なくとも１つを含む上位レイヤシグナリングにより、前記ｅＮＢとの前記ＵＥの初期接続中の前記ＮＯＭＡリソースの前記割り当てを受信するよう前記トランシーバを構成する、請求項２に記載の装置。
【請求項４】
前記処理回路は、
前記ＮＯＭＡリソースの割り当てとともに前記最大許容ＮＯＭＡレート及び最大許容ＮＯＭＡ変調及び符号化方法（最大許容ＮＯＭＡ  ＭＣＳ）のうちの少なくとも１つの割り当てを受信するよう前記トランシーバを構成し、
前記最大許容ＮＯＭＡレート及び前記最大許容ＮＯＭＡ  ＭＣＳのうちの少なくとも１つを超えると前記ＮＯＭＡリソースを使用して前記データを送信することを控えるよう前記トランシーバを構成する、
請求項３に記載の装置。
【請求項５】
前記処理回路は、前記ｅＮＢから前記データを送信するための明示的な認証を受信しないで、前記ＮＯＭＡリソースを使用して前記データを送信するよう前記トランシーバを構成する、請求項１から４のいずれか一項に記載の装置。
【請求項６】
前記ＯＭＡリソース及び前記ＮＯＭＡリソースは、静的又は準統計的に、時分割多重（ＴＤＭ）及び周波数分割多重（ＦＤＭ）方式のうちの少なくとも１つにおいて構成される、請求項１から５のいずれか一項に記載の装置。
【請求項７】
前記処理回路は、
前記少なくとも１つの予め定められた条件に適合しない前記データが送信されるべきであることを判断し、
前記ｅＮＢにＯＭＡリソースのための要求を送信して、送信されるべき前記データが前記少なくとも１つの予め定められた条件に適合しないとする判断に応答して前記データを送信するよう前記トランシーバを構成し、
前記要求の送信に応答して、前記ＯＭＡリソースの明示的な認証を受信するよう前記トランシーバを構成し、前記認証は、１又は複数の時間及び周波数リソース及び前記ＯＭＡ領域に関連する変調符号化方法（ＭＣＳ）を含む、
請求項１から６のいずれか一項に記載の装置。
【請求項８】
前記ＱＯＭＡ領域は、複数のＮＯＭＡ領域を含み、各ＮＯＭＡ領域は異なるＮＯＭＡリソースを含み、
前記ＵＥに割り当てられた前記ＮＯＭＡリソースは、ＵＥタイプ、データタイプ、及び前記ＵＥに対するサービス品質（ＱｏＳ）のうちの少なくとも１つに依存する、
請求項１から７のいずれか一項に記載の装置。
【請求項９】
前記処理回路は、
前記ｅＮＢからのＡＣＫ応答を受信しないで第１の予め定められた再送回数が超えたことの判断に応答して、前記データを、前記ＮＯＭＡリソース及び前記データの最初の伝送に関連付けられた前記データレート及びＭＣＳより低いデータレート及びＭＣＳのうちの少なくとも１つを使用して再送信する、
請求項１に記載の装置。
【請求項１０】
前記処理回路は、
前記ｅＮＢからのＡＣＫ応答を受信しないで第２の予め定められた再送回数が超えたことの判断に応答して、前記ＯＭＡリソースに対して前記ＵＥに要求を送信し、
前記ＯＭＡリソースの認証の受信に応答して、前記ＯＭＡリソースを使用して前記データを再送信する、
請求項９に記載の装置。
【請求項１１】
さらに、前記トランシーバ及び前記ｅＮＢの間の通信を送信及び受信するアンテナを備える、請求項１から１０のいずれか一項に記載の装置。
【請求項１２】
拡張ノードＢ（ｅＮＢ）の装置であって、
ＱＯＭＡ領域内の準直交多元接続（ＱＯＭＡ）リソースを使用して複数のユーザ機器（複数のＵＥ）と通信するトランシーバであり、前記ＱＯＭＡ領域は、直交多元接続領域（ＯＭＡ領域）及び非直交多元接続領域（ＮＯＭＡ領域）を含み、前記ＯＭＡ領域はＵＥが直交リソースに割り当てられるＯＭＡリソースを含み、前記ＮＯＭＡ領域は、ＵＥが非直交リソースに割り当てられるＮＯＭＡリソースを含む、前記トランシーバと、
処理回路であり、
前記ＮＯＭＡ領域の数及び区分を判断し、
ＱＯＭＡリソースの割り当てを前記複数のＵＥのそれぞれに送信するよう前記トランシーバを構成し、前記ＱＯＭＡリソースは、前記ＮＯＭＡリソース及び前記ＯＭＡリソースを含み、
前記ＮＯＭＡリソースを使用して前記ＮＯＭＡリソースに割り当てられたＵＥから第１のデータを受信するよう前記トランシーバを構成し、前記第１のデータは少なくとも１つの予め定められた条件に適合する、前記処理回路と、
を備え、
前記ＱＯＭＡ領域は、複数のＮＯＭＡ領域を含み、各ＮＯＭＡ領域は異なるＮＯＭＡリソースを含み、
各ＵＥに割り当てられる前記ＮＯＭＡリソースは、ＵＥタイプ、データタイプ、及び前記ＵＥに対するサービス品質（ＱｏＳ）のうちの少なくとも１つに依存し、
前記処理回路は、予測されるＮＯＭＡ要求及びアプリケーションタイプを用いて前記ＮＯＭＡ領域の数及び区分を判断する、
装置。
【請求項１３】
拡張ノードＢ（ｅＮＢ）の装置であって、
ＱＯＭＡ領域内の準直交多元接続（ＱＯＭＡ）リソースを使用して複数のユーザ機器（複数のＵＥ）と通信するトランシーバであり、前記ＱＯＭＡ領域は、直交多元接続領域（ＯＭＡ領域）及び非直交多元接続領域（ＮＯＭＡ領域）を含み、前記ＯＭＡ領域はＵＥが直交リソースに割り当てられるＯＭＡリソースを含み、前記ＮＯＭＡ領域は、ＵＥが非直交リソースに割り当てられるＮＯＭＡリソースを含む、前記トランシーバと、
処理回路であり、
前記ＮＯＭＡ領域の数及び区分を判断し、
ＱＯＭＡリソースの割り当てを前記複数のＵＥのそれぞれに送信するよう前記トランシーバを構成し、前記ＱＯＭＡリソースは、前記ＮＯＭＡリソース及び前記ＯＭＡリソースを含み、
前記ＮＯＭＡリソースを使用して前記ＮＯＭＡリソースに割り当てられたＵＥから第１のデータを受信するよう前記トランシーバを構成し、前記第１のデータは少なくとも１つの予め定められた条件に適合する、前記処理回路と、
を備え、
前記ＱＯＭＡ領域は、複数のＮＯＭＡ領域を含み、各ＮＯＭＡ領域は異なるＮＯＭＡリソースを含み、
各ＵＥに割り当てられる前記ＮＯＭＡリソースは、ＵＥタイプ、データタイプ、及び前記ＵＥに対するサービス品質（ＱｏＳ）のうちの少なくとも１つに依存し、
前記処理回路は、
前記ＮＯＭＡリソースを使用するために割り当てられた第１のＵＥから前記ＯＭＡリソースに対する要求を受信するよう前記トランシーバを構成し、
前記要求の受信に応答して、前記第１のＵＥに前記ＯＭＡリソースの認証を送信し、
前記第１のＵＥに前記認証を送信した後、前記第１のＵＥに割り当てられたＮＯＭＡリソースを別のＵＥに再割り当てする、
装置。
【請求項１４】
前記少なくとも１つの予め定められた条件は、最大許容ＮＯＭＡレート未満で送信されるデータ及び予め定められた数未満のパケットを有するデータを含む、請求項１２または１３に記載の装置。
【請求項１５】
前記処理回路は、
マスタ情報ブロック、システム情報ブロック、及びＵＥ固有の専用無線リソース制御シグナリングのうちの少なくとも１つを含む上位レイヤシグナリングにより、前記ＵＥの前記ｅＮＢとの初期接続中に、前記ＮＯＭＡリソースの前記割り当てを送信するよう前記トランシーバを構成する、
請求項１４に記載の装置。
【請求項１６】
前記処理回路は、
前記ＮＯＭＡリソースの割り当てとともに前記最大許容ＮＯＭＡレート及び最大許容ＮＯＭＡ変調及び符号化方法（最大許容ＮＯＭＡ  ＭＣＳ）のうちの少なくとも１つの割り当てを送信するよう前記トランシーバを構成し、
前記第１のデータは、前記最大許容ＮＯＭＡレート及び前記最大許容ＮＯＭＡ  ＭＣＳを超えて送信されるデータを含まない、
請求項１５に記載の装置。
【請求項１７】
前記処理回路は、前記ｅＮＢから前記第１のデータを送信するための明示的な認証を受信しないで、前記ＮＯＭＡリソースを使用して前記第１のデータを受信するよう前記トランシーバを構成する、請求項１２から１６のいずれか一項に記載の装置。
【請求項１８】
前記ＮＯＭＡ領域は、これに割り当てられることができるＵＥのサイズ及び最大数に関して互いに独立である、請求項１２から１７のいずれか一項に記載の装置。
【請求項１９】
準直交多元接続領域（ＱＯＭＡ領域）内のＱＯＭＡリソースの割り当てを受信する手順であり、前記ＱＯＭＡ領域は、直交多元接続領域（ＯＭＡ領域）及び非直交多元接続領域（ＮＯＭＡ領域）を含み、前記ＯＭＡ領域は、ユーザ機器（ＵＥ）が直交リソースに割り当てられるＯＭＡリソースを含み、前記ＮＯＭＡ領域は、ＵＥが非直交リソースに割り当てられるＮＯＭＡリソースを含む、手順と、
最大許容ＮＯＭＡレート及び最大許容ＮＯＭＡ変調及び符号化方法（最大許容ＮＯＭＡ  ＭＣＳ）の割り当てを受信する手順と、
前記ＮＯＭＡリソースを使用して第１のセットのデータを送信する手順であり、前記第１のセットのデータは、多くとも予め定められた数のパケットを含み、多くとも前記最大許容ＮＯＭＡレート及び前記最大許容ＮＯＭＡ  ＭＣＳで送信される、手順と、
前記ＯＭＡリソースを使用して第２のセットのデータを送信する手順であり、前記第２のセットのデータは、前記予め定められた数より多いパケットのうちの少なくとも１つを含み、前記最大許容ＮＯＭＡレート及び前記最大許容ＮＯＭＡ  ＭＣＳより大きいもののうちの少なくとも１つで送信される、手順と、
を、拡張型ノードＢ（ｅＮＢ）と通信するよう構成されたＵＥの１又は複数のプロセッサに実行させ、
前記ＵＥは、前記第１のセットのデータの最初の伝送に対する肯定（ＡＣＫ）応答が前記ｅＮＢから受信されていないとする判断に応答して、前記第１のセットのデータの前記最初の伝送に関連付けられるデータレート及びＭＣＳを使用して、前記ＮＯＭＡリソースを使用して前記第１のセットのデータを再送信する、
プログラム。
【請求項２０】
前記ＵＥは、前記ｅＮＢからの前記第１のセットのデータを送信するための明示的な認証を受信しないで、前記ＮＯＭＡリソースを使用して前記第１のセットのデータを送信する、請求項１９に記載のプログラム。
【請求項２１】
前記ＵＥは、
前記ｅＮＢからのＡＣＫ応答を受信しないで第１の予め定められた再送回数が超えたことの判断に応答して、前記ＮＯＭＡリソース及び前記第１のセットのデータの前記最初の伝送に関連付けられる前記データレート及びＭＣＳより低いデータレート及びＭＣＳのうちの少なくとも１つを使用して前記第１のセットのデータを再送信すること、
前記ｅＮＢからのＡＣＫ応答を受信しないで第２の予め定められた再送回数が超えたことの判断に応答して、前記ＵＥに前記ＯＭＡリソースに対する要求を送信すること、及び、前記ＯＭＡリソースの認証の受信に応答して、前記ＯＭＡリソースを使用して前記第２のセットのデータを再送信すること、
のうちの少なくとも１つを実行する、請求項１９または２０に記載のプログラム。
【請求項２２】
請求項１９から２１のいずれか一項に記載のプログラムを格納した非一時的コンピュータ読み取り可能記憶媒体。
【発明の詳細な説明】
【技術分野】
【０００１】
［優先権の主張］
この出願は、２０１５年３月２６日に出願され、「準直交多元接続」と題する米国仮特許出願第６２／１３８，８９２の優先権の利益を主張する。その全体が参照により本明細書に組み込まれる。
【０００２】
実施形態は、無線アクセスネットワークに関する。いくつかの実施形態は、第３世代パートナーシッププロジェクトロングタームエボリューション（３ＧＰＰ  ＬＴＥ）ネットワーク及びＬＴＥアドバンスト（ＬＴＥ−Ａ）ネットワーク並びに第４世代（４Ｇ）ネットワーク及び第５世代（５Ｇ）ネットワークを含むセルラーネットワークにおける多元接続方式に関する。
【背景技術】
【０００３】
パーソナル通信デバイスの使用が、過去２０年間にわたって天文学的に増加している。現代社会におけるモバイルデバイスの普及は、多くの全く異なる環境における多種多様なネットワークデバイスに対する要求を駆動し続けている。３ＧＰＰ  ＬＴＥシステムを使用するネットワークデバイスの使用は、家庭及び仕事生活のすべてのエリアにおいて増加している。
【０００４】
多くの例において、ユーザ機器（ＵＥ）及び拡張型ノードＢ（ｅＮＢ）を含む様々な通信デバイスが多元接続方式を使用して同時に通信できるようにして、システム容量を改善するのが望ましい。多くのそのような多元接続方式及び波形（例えば、直交周波数分割多重（ＯＦＤＭ）、離散フーリエ変換−拡散−直交周波数分割多重（ＧＩ−ＤＦＴ−ＯＦＤＭ）、単一搬送波（ＳＣ）等）は、ネットワーク（例えば、ｅＮＢ）及びＵＥの間又は異なるＵＥの間（デバイスツーデバイス、Ｄ２Ｄとも呼ぶ）の複数のタイプの同時データ転送を許可してよい。しかし、特定の変調スキーム又は波形に対して設計されるよりむしろ、通信システムは、異なるタイプの変調スキーム及び波形を用いる動作を保証するのに十分柔軟であってよい。
【０００５】
米国では、システムの現世代は、３ＧＰＰ４Ｇ標準ＬＴＥである。次の３ＧＰＰ（５Ｇ）世代システムの開発に既に取り組みが始まっている。故に、受信機の複雑性を考慮しながら、比較的に高容量、低レイテンシ、及び低制御オーバヘッドを提供する下位互換性のある３ＧＰＰ  ５Ｇ多元接続方式を提供するのが望ましいかもしれない。
【図面の簡単な説明】
【０００６】
複数の図において、これらは必ずしも縮尺通りに描かれてはいないが、同じ参照番号は別の図における同様の構成要素を説明し得る。異なる添字が付いた同じ参照番号は、同様の構成要素の異なる例を表し得る。概して、図は、限定としてではなく例として、本明細書で説明される様々な実施形態を示す。
【０００７】
【図１】いくつかの実施形態に係る３ＧＰＰネットワークの機能図である。
【０００８】
【図２】いくつかの実施形態に係る３ＧＰＰデバイスのブロック図である。
【０００９】
【図３】いくつかの実施形態に係る準直交多元接続（ＱＯＭＡ）領域の例を示す。
【００１０】
【図４】いくつかの実施形態に係るＱＯＭＡ法のフローチャートを示す。
【発明を実施するための形態】
【００１１】
以下の説明及び図面は、具体的な実施形態を十分に示すことで、当業者がそれらを実行することを可能にする。他の実施形態は、構造的、論理的、電気的、プロセス的、及びその他の変更を組み込んでよい。いくつかの実施形態の部分及び特徴が、その他の実施形態のそれらに含まれても良く、又は、代用されてもよい。特許請求の範囲に記載された実施形態は、それらの特許請求の範囲のすべての可能な均等物を包含する。
【００１２】
図１は、いくつかの実施形態に係る３ＧＰＰネットワークの機能図である。ネットワークは、Ｓ１インタフェース１１５を介して共に連結される、無線アクセスネットワーク（ＲＡＮ）１００（例えば、図示されるようにＥ−ＵＴＲＡＮ又は進化型ユニバーサル地上無線アクセスネットワーク）及びコアネットワーク１２０（例えば、進化型パケットコア（ＥＰＣ）として示される）を備えてよい。便宜上及び簡潔化のために、コアネットワーク１２０並びにＲＡＮ１００の部分のみが示される。
【００１３】
コアネットワーク１２０は、モビリティ管理エンティティ（ＭＭＥ）１２２、サービングゲートウェイ（サービングＧＷ）１２４、及びパケットデータネットワークゲートウェイ（ＰＤＮ  ＧＷ）１２６を含む。ＲＡＮ１００は、ＵＥ１０２と通信するためのｅＮＢ１０４（基地局として動作してよい）を含む。ｅＮＢ１０４は、マクロｅＮＢ及び低電力（ＬＰ）ｅＮＢを含んでよい。
【００１４】
ＭＭＥは、レガシーサービングＧＰＲＳサポートノード（ＳＧＳＮ）の制御プレーンと機能が類似している。ＭＭＥは、ゲートウェイ選択及びトラッキングエリアリスト管理のようなアクセスにおけるモビリティ態様を管理する。サービングＧＷ１２４は、ＲＡＮ１００に向かうインタフェースを終端し、ＲＡＮ１００とコアネットワーク１２０との間の（データパケット又は音声パケットのような）トラフィックパケットをルーティングする。さらに、それは、ｅＮＢ間のハンドオーバに対するローカルモビリティアンカーポイントであってもよく、また、３ＧＰＰモビリティ間に対するアンカーを提供してもよい。他の能力は、合法的傍受、課金、及び、いくつかのポリシー施行を含んでよい。サービングＧＷ１２４及びＭＭＥ１２２は、１つの物理ノード又は個別の物理ノードに実装されてよい。ＰＤＮ  ＧＷ１２６は、パケットデータネットワーク（ＰＤＮ）に向かうＳＧｉインタフェースを終端する。ＰＤＮ  ＧＷ１２６は、ＥＰＣ１２０と外部ＰＤＮとの間でトラフィックパケットをルーティングし、ポリシー施行及び課金データ収集の重要なノードになってよい。それはまた、非ＬＴＥアクセスとのモビリティのためのアンカーポイントも提供してよい。外部ＰＤＮは、任意の種類のＩＰネットワーク、並びにＩＰマルチメディアサブシステム（ＩＭＳ）ドメインであり得る。ＰＤＮ  ＧＷ１２６及びサービングＧＷ１２４は、１つの物理ノード又は分離した物理ノードに実装されてよい。
【００１５】
ｅＮＢ１０４（マクロ及びマイクロ）は、エアインターフェースプロトコルを終端し、ＵＥ１０２に対するコンタクトの最初のポイントであってよい。ｅＮＢ１０４は、通常カバレッジモードでＵＥ１０２と、１又は複数の拡張カバレッジモードでＵＥ１０４と、の両方と通信してよい。いくつかの実施形態において、ｅＮＢ１０４は、ＲＡＮ１００の様々な論理的機能を遂行してよく、それらとしては限定ではないが、無線ベアラ管理、アップリンク及びダウンリンクの動的無線リソース管理とトラフィックパケットスケジューリング、並びにモビリティ管理のようなＲＮＣ（無線ネットワークコントローラ機能）を含む。いくつかの実施形態によると、ＵＥ１０２は、適切な通信技術に従ってマルチキャリア通信チャネル上で、時分割多元接続（ＴＤＭＡ）、周波数分割多元接続（ＦＤＭＡ）、直交ＦＤＭＡ（ＯＦＤＭＡ）、ＳＣ‐ＦＤＭＡ又は他の通信信号のような直交多元接続（ＯＭＡ）通信により、ｅＮＢ１０４と通信するよう構成されてよい。ＯＦＤＭ信号は、複数の直交サブキャリアを含んでよい。いくつかの実施形態によると、ＵＥ１０２は、非直交多元接続（ＮＯＭＡ）信号により通信するよう構成されてよい。
【００１６】
Ｓ１インタフェース１１５は、ＲＡＮ１００とＥＰＣ１２０とを分離するインタフェースである。Ｓ１‐ＵとＳ１‐ＭＭＥとの２つの部分に分割される。Ｓ１‐Ｕは、ｅＮＢ１０４とサービングＧＷ１２４との間のトラフィックパケットを搬送し、Ｓ１‐ＭＭＥは、ｅＮＢ１０４とＭＭＥ１２２との間のシグナリングインタフェースである。
【００１７】
セルラーネットワークを用いて、ＬＰセルが、通常、屋外の信号が良く到達しない屋内エリアにカバレッジを拡張するため、又は、電車の駅のような非常に混雑した電話使用のあるエリアにおいてネットワーク容量を追加するために使用される。ここで用いられるように、低電力（ＬＰ）ｅＮＢという用語は、フェムトセル、ピコセル、又はマイクロセルのようなより狭いセル（マクロセルよりも狭いセル）を実装するための任意の適切な比較的低電力のｅＮＢを指す。フェムトセルｅＮＢは、通常、モバイルネットワーク事業者によって、その住宅向け又は企業向け顧客に提供される。フェムトセルは、通常、住宅向けゲートウェイのサイズ、又はそれより小さく、概してユーザのブロードバンドラインに接続する。いったん接続されると、フェムトセルはモバイル事業者のモバイルネットワークに接続し、住宅向けフェムトセルに対し通常３０〜５０メートルの範囲内に追加のカバレッジを提供する。故に、ＬＰ  ｅＮＢは、ＰＤＮ  ＧＷ１２６を介して連結されるので、フェムトセルｅＮＢであってよい。同様に、ピコセルは、屋内（オフィス、ショッピングモール、電車の駅等）、又は、より最近では飛行機内のような小さいエリアを通常カバーする無線通信システムである。ピコセルｅＮＢは、概して、Ｘ２リンクを介して、 マクロｅＮＢのような別のｅＮＢと、その基地局コントローラ（ＢＳＣ）機能を介して接続し得る。故に、ＬＰ  ｅＮＢは、Ｘ２インタフェースによりマクロｅＮＢに連結されるので、ピコセルｅＮＢで実装されてよい。ピコセルｅＮＢ又は他のＬＰ  ｅＮＢは、マクロｅＮＢの機能のいくつか又はすべてを組み込んでよい。いくつかの場合において、これは、アクセスポイント基地局又は企業フェムトセルと参照されてよい。
【００１８】
ＬＴＥネットワーク上での通信は、そのそれぞれが１０の１ｍｓサブフレームを含んでよい１０ｍｓフレームに分割されてよい。次に、フレームの各サブフレームは、０．５ｍｓの２つのスロットを含んでよい。ｅＮＢは、様々な周波数帯域上でアップリンク及びダウンリンク送信をスケジューリングしてよい。サブフレーム内のリソースの割り当ては、１つの周波数帯域で使用され、別の周波数帯域におけるそれらと異なってよい。サブフレームの各スロットは、使用されるシステムに依存して、６から７のシンボルを含んでよい。いくつかの実施形態において、サブフレームは、１２又は２４のサブキャリアを含んでよい。リソースグリッドは、ｅＮＢとＵＥとの間のダウンリンク及びアップリンク送信のために使用されてよい。リソースグリッドは、各スロット内の物理リソースである時間‐周波数グリッドであってよい。リソースグリッド内の最小時間‐周波数ユニットは、リソース要素（ＲＥ）として示されてよい。リソースグリッドの各列及び各行が、１つのＯＦＤＭシンボル及び１つのＯＦＤＭサブキャリアにそれぞれ対応してよい。リソースグリッドは、物理チャネルのリソース要素及び物理ＲＢ（ＰＲＢ）へのマッピングを説明するリソースブロック（ＲＢ）を含んでよい。ＰＲＢは、現在の３ＧＰＰ規格でＵＥに割り当てられることができるリソースの最小単位であってよい。リソースブロックは、周波数が１８０ｋＨｚ幅及び時間が１スロット長であってよい。周波数において、リソースブロックは、１２×１５ｋＨｚのサブキャリア又は２４×７．５ｋＨｚのサブキャリア幅のいずれかであってよい。ほとんどのチャネル及び信号に対して、システム帯域幅に依存して、１２サブキャリアがリソースブロック毎に使用されてよい。時間ドメインにおけるリソースグリッドの持続時間は、１サブフレーム又は２リソースブロックに対応する。各リソースグリッドは、通常のサイクリックプレフィックス（ＣＰ）の場合、１２（サブキャリア）×１４（シンボル）＝１６８リソース要素を含んでよい。いくつかの異なる物理チャネルは、そのようなリソースブロックを使用して伝達されてよい。
【００１９】
物理ダウンリンク制御チャネル（ＰＤＣＣＨ）及び物理ダウンリンク共有チャネル（ＰＤＳＣＨ）を含み、そのようなリソースブロックを使用して伝達されるいくつかの異なる物理ダウンリンクチャネルがあってよい。各サブフレームは、ＰＤＣＣＨ、物理ハイブリッド−ＡＲＱインジケータチャネル（ＰＨＩＣＨ）、物理制御フォーマットインジケータチャネル（ＰＣＦＩＣＨ）及びＰＤＳＣＨを含んでよい。ＰＤＣＣＨは、通常、各サブフレーム及び搬送波の最初の最大３つのシンボル（１．４ＭＨｚの狭い帯域幅の場合においては４つ）、とりわけ、物理アップリンク共有チャネル（ＰＵＳＣＨ）送信に対するＰＤＳＣＨチャネル及びアップリンクスケジューリング認証に関連するトランスポート形式及びリソース割り当てについての情報を占有してよい。ＰＨＩＣＨは、ＰＵＳＣＨ送信に応答して、ＨＡＲＱ情報を送るために使用されてよい。ＰＣＦＩＣＨは、ＵＥに、各ダウンリンクサブフレームにおける制御領域サイズ（例えば、１、２、又は３つのＯＦＤＭシンボル）を通知してよい。ＰＤＳＣＨは、ユーザデータ及び上位レイヤのシグナリングを特定のＵＥに搬送し、ダウンリンクサブフレームの残りを占有して、ダウンリンク制御チャネル（ＰＤＣＣＨ／ＰＨＩＣＨ／ＰＣＦＩＣＨ）が送信されるリソースを回避してよい。通常、（制御及び共有チャネルリソースブロックをセル内のＵＥに割り当てる）ダウンリンクスケジューリングは、ＵＥにより提供されるチャネル品質情報に基づいてｅＮＢで実行されてよく、そして、ダウンリンクリソース割り当て情報は、ＵＥのＰＤＳＣＨ受信のために使用される（割り当てられる）ＰＤＣＣＨ上でスケジューリングされたＵＥに送信されてよい。
【００２０】
ＰＤＣＣＨは、リソースグリッドから、同一サブフレーム内のＰＤＳＣＨ上で送信されたデータをどこで見つけ、どうデコードするかをＵＥに示す複数のフォーマットのうちの１つにおけるダウンリンク制御情報（ＤＣＩ）を含んでよい。ＤＣＩは、リソースブロックの数、リソース割り当てのタイプ、変調スキーム、トランスポートブロック、冗長バージョン、符号化レート等のような詳細を提供してよい。各ＤＣＩフォーマットは、巡回冗長コード（ＣＲＣ）を有してよく、ＰＤＳＣＨが意図されるターゲットＵＥを特定する無線ネットワーク一時識別子（ＲＮＴＩ）を用いてスクランブルされてよい。ＵＥ固有であってよいＲＮＴＩの使用は、ＤＣＩ情報のデコード（従って、対応するＰＤＳＣＨ）を意図されたＵＥのみに限定してよい。ＰＤＣＣＨは、ＰＤＣＣＨがＵＥ固有又は共通であるかどうか、並びにアグリゲーションレベルに依存して、複数の周波数／時間領域のうちのいずれかに配置されてよい。ＰＤＣＣＨに対する可能な候補位置のセットは、検索空間に関して定義される。検索空間は、複数のアグリゲーションレベル
【数１】
0006606735.tif 000002
を有する制御チャネル要素（ＣＣＥ）候補のセットにより定義される。ただし、ＵＥは、モニタしてそのＰＤＣＣＨを見つけてよい。共通検索空間は、すべてのＵＥに対して共通であるＤＣＩ、例えば（ＳＩ−ＲＮＴＩを使用する）システム情報、ページング（Ｐ−ＲＮＴＩ）、ＰＲＡＣＨ応答（ＲＡ−ＲＮＴＩ）、又はＵＬ  ＴＰＣコマンド（ＴＰＣ−ＰＵＣＣＨ／ＰＵＳＣＨ−ＲＮＴＩ）を搬送してよい。ＵＥ固有検索空間は、ＵＥに割り当てられるセル無線ネットワーク一時識別子（Ｃ−ＲＮＴＩ）、半永続スケジューリング（ＳＰＳ  Ｃ−ＲＮＴＩ）、又は初期割り当て（一時的Ｃ−ＲＮＴＩ）を使用して、ＵＥ固有割り当てに対してＤＣＩを搬送してよい。ＳＰＳ（アップリンク又はダウンリンクのどちらか）を構成する場合、ＳＰＳ  Ｃ−ＲＮＴＩはｅＮＢにより提供され、ＵＥは上位レイヤにより構成されてＳＰＳ  Ｃ−ＲＮＴＩによりスクランブルされたＣＲＣを用いてＰＤＣＣＨをデコードする。ｅＮＢは、いつでも、ＳＰＳのＣ−ＲＮＴＩによりスクランブルされたＣＲＣを有するＤＣＩフォーマットを使用して、ＳＰＳをアクティブ化／再アクティブ化／リリースすることができるので、ＵＥは、すべてのサブフレーム内のＳＰＳ  Ｃ−ＲＮＴＩによりスクランブルされたＣＲＣを有するＰＤＣＣＨをモニタしてよい。ＳＰＳ  Ｃ−ＲＮＴＩによりスクランブルされたＣＲＣを有する受信されたＤＣＩフォーマットは、再送信のための又はＳＰＳのアクティブ化／再アクティブ化／リリースのための認証／割り当てであり得る。３ＧＰＰ技術仕様書３６．２１３は、ＳＰＳのアクティブ化／再アクティブ化／リリースのための検証／手順を表にまとめている。
【００２１】
ＰＤＣＣＨに加えて、拡張ＰＤＣＣＨ（ＥＰＤＣＣＨ）はｅＮＢ及びＵＥによって使用されてよい。ＰＤＳＣＨは、故に、いくつかのリソースブロック（ＲＢ）内にデータを含んでよく、そして、ＥＰＤＣＣＨは、ＵＥによってサポートされる帯域幅の他のＲＢ内にダウンリンク制御信号を含む。異なるＵＥは、異なるＥＰＤＣＣＨ構成を有してよい。ＥＰＤＣＣＨに対応するＲＢのセットは、例えば、ＥＰＤＣＣＨモニタに対する無線リソース制御（ＲＲＣ）シグナリングのような上位レイヤシグナリングにより構成されてよい。
【００２２】
物理アップリンク制御チャネル（ＰＵＣＣＨ）は、ＵＥに使用されて、アップリンク制御情報（ＵＣＩ）をｅＮＢに送信してよい。ＰＵＣＣＨは、直交カバーコード及び時間的に連続する２つのリソースブロック（ＲＢ）により定義されるＵＬ制御チャネルリソースに、隣接スロット間の境界に潜在的にホッピングすることにより、マッピングされてよい。ＰＵＣＣＨは、フォーマットに依存する情報を含むＵＣＩを用いて、いくつかの異なるフォーマットを利用してよい。具体的には、ＰＵＣＣＨは、スケジューリング要求（ＳＲ）、肯定応答／再送要求（ＡＣＫ／ＮＡＣＫ）、又はチャンネル品質インジケーション（ＣＱＩ）／チャネル状態情報（ＣＳＩ）を含んでよい。ＣＱＩ／ＣＳＩは、チャネル依存スケジューリングを支援するために、ｅＮＢに、ＵＥによって見られるような現在のダウンリンクチャネル状態の推定を示してよく、もし１つのＭＩＭＯ送信モードがＵＥに構成されると、ＭＩＭＯ関連フィードバック（例えば、プリコーダ行列インジケーション、ＰＭＩ）を含んでよい。
【００２３】
図２は、いくつかの実施形態に係る３ＧＰＰデバイスの機能図である。デバイスは、例えば、ＵＥ又はｅＮＢであってよい。いくつかの実施形態において、ｅＮＢは、据え置き型非モバイルデバイスであってよい。３ＧＰＰデバイス２００は、１又は複数のアンテナ２０１を使用して、信号を送信及び受信するための物理レイヤ回路２０２を含んでよい。３ＧＰＰデバイス２００は、また、無線媒体へのアクセスを制御するための媒体アクセス制御レイヤ（ＭＡＣ）回路２０４を含んでよい。３ＧＰＰデバイス２００は、また、本明細書に記載される動作を実行するよう設けられる処理回路２０６及びメモリ２０８を含んでよい。
【００２４】
いくつかの実施形態において、本明細書に記載されるモバイルデバイス又は他のデバイスは、携帯用情報端末（ＰＤＡ）、無線通信機能を備えたラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ、センサ、医療デバイス（例えば、心拍数モニタ、血圧モニタ等）、又は情報を無線で受信及び／又は送信可能な他のデバイス等のポータブル無線通信デバイスの一部であってよい。いくつかの実施形態において、モバイルデバイス又は他のデバイスは、３ＧＰＰ規格に従って動作するよう構成されたＵＥ１０２又はｅＮＢ１０４であることができる。いくつかの実施形態において、モバイルデバイス又は他のデバイスは、ＩＥＥＥ８０２．１１又は他のＩＥＥＥ規格を含む他のプロトコル又は規格に従って動作するよう構成されてよい。いくつかの実施形態において、モバイルデバイス又は他のデバイスは、キーボード、ディスプレイ、不揮発性メモリポート、複数のアンテナ、グラフィックプロセッサ、アプリケーションプロセッサ、スピーカ、及び他のモバイルデバイス要素のうちの１又は複数を含んでよい。ディスプレイは、タッチスクリーンを含むＬＣＤスクリーンであってよい。
【００２５】
アンテナ２０１は、例えば、ダイポールアンテナ、モノポールアンテナ、パッチアンテナ、ループアンテナ、マイクロストリップアンテナ、又はＲＦ信号の送信に好適な他のタイプのアンテナを含む１又は複数の指向性又は全方向性アンテナを備えてよい。いくつかの多重入力多重出力（ＭＩＭＯ）実施形態において、アンテナ２０１は、効果的に分離して、空間ダイバーシチ及び結果として生じ得る異なるチャネル特性の利点を利用してよい。
【００２６】
３ＧＰＰデバイス２００はいくつかの個別の機能要素を有するように図示されるが、機能要素のうちの１又は複数は組み合わせられてよく、デジタル信号プロセッサ（ＤＳＰ）を含む処理要素などのソフトウェア構成要素、及び／又は他の複数のハードウェア要素の組み合わせによって実装されてよい。例えば、いくつかの要素は、１又は複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、及び本明細書に記載の機能を少なくとも実行するための様々なハードウェア及び論理回路の組み合わせを備えてよい。いくつかの実施形態において、機能要素は、１又は複数の処理要素上で動作する１又は複数の処理を指してよい。
【００２７】
実施形態は、ハードウェア、ファームウェア及びソフトウェアのうちの１つ又はそれらの組み合わせにおいて実装されてよい。実施形態は、また、本明細書に記載の動作を実行すべく、少なくとも１つのプロセッサにより読み取られ、実行されてよい、コンピュータ可読記憶デバイス上に格納される命令として実装されてよい。コンピュータ可読記憶デバイスは、マシン（例えばコンピュータ）によって読み取り可能な形態で情報を格納するための任意の非一時的メカニズムを含んでよい。例えば、コンピュータ可読記憶デバイスは、リードオンリメモリ（ＲＯＭ）、ランダムアクセスメモリ（ＲＡＭ）、磁気ディスク記憶媒体、光記憶媒体、フラッシュメモリデバイス、並びに他のストレージデバイス及び媒体を含んでよい。いくつかの実施形態は、１又は複数のプロセッサを含んでよく、コンピュータ可読記憶デバイス上に格納された命令を用いて構成されてよい。
【００２８】
用語「機械可読媒体」は、１又は複数の命令を格納するよう構成された単一の媒体又は複数の媒体（例えば、集中型又は分散型データベース、及び／又は、関連付けられたキャッシュ及びサーバ）を含んでよい。用語「機械可読媒体」は、３ＧＰＰデバイス２００による実行のための命令を格納、エンコード、若しくは搬送可能な任意の媒体を含んでよく、それに、本開示の技術のうちのいずれか１つ又は複数を実行させるもの、又は、そのような命令によって使用される、若しくは関連付けられるデータ構造を格納、エンコード若しくは搬送可能な任意の媒体を含んでよい。用語「伝送媒体」は、実行のための命令を格納、エンコード、又は搬送することができる任意の無形の媒体を含むように解釈されるべきであり、そのようなソフトウェアの通信を促進するためのデジタル若しくはアナログの通信信号又は他の無形の媒体を含む。
【００２９】
上記のとおり、現在のネットワークは、異なるタイプのアクセス方式を使用して動作するよう設計される。これらのアクセス方式は、非直交多元接続（ＮＯＭＡ）方式及び直交多元接続（ＯＭＡ）方式に分類されてよい。ＯＭＡ方式の例は、とりわけＴＤＭＡ，ＦＤＭＡ、ＯＦＤＭＡ、及びＳＣ‐ＦＤＭＡを含む一方、ＮＯＭＡ方式の例は、広帯域符号分割多元接続（ＷＣＤＭＡ（登録商標））又は高速パケットアクセス（ＨＳＰＡ）アップリンク、重畳符号化（例えば、Ｒｅｌ−１３  ＮＯＭＡ）などのような３Ｇ  ＣＤＭＡアップリンクを含む。ＯＭＡ方式では、セル内で多重化するＵＥは、直交リソースを異なるＵＥに割り当てることにより実現されてよい。対照的に、ＮＯＭＡ方式では、セル内で多重化するＵＥは、非直交リソースを異なるＵＥに割り当てることにより実現されてよい。ＮＯＭＡ方式では、異なるＵＥに割り当てられるリソースは、互いと直交しない。故に、ＵＥからの送信は、同一リソース上に到達することにより互いと干渉し得る。ｅＮＢは、拡散コードを使用してよい。ＯＭＡ方式の１つの性能限定ファクタは、直交ベースベクトルの限定された数（例えば、ＴＤＭＡシステムにおける時間スロットの数及びＯＦＤＭＡシステムにおけるサブキャリアの数）であってよい。一方、ＮＯＭＡ方式の同様の性能限定ファクタは、総受信信号パワー（受信機の構造に依存する）であってよく、それにより、設定最大数のＵＥがｅＮＢと通信できてよい。
【００３０】
次世代（５Ｇ）通信システムにおける使用のための改良多重アクセス方式を提供するのが望ましいであろう。そのような方式の１つは、準直交多元接続（ＱＯＭＡ）方式として参照されてよく、ＯＭＡ及びＮＯＭＡ方式を組み合わせてよい。ＱＯＭＡ方式は、ＯＭＡ及びＮＯＭＡリソースの両方を含むＱＯＭＡリソースを含んでよい。ＱＯＭＡ方式では、ｅＮＢは、異なるタイプのリソースを異なるＵＥに割り当ててよく、ＵＥは、通信のタイプを含む複数のファクタのうちの１又は複数に依存して、異なるリソース（例えば、ＯＭＡ又はＮＯＭＡ）を使用して通信してよい。例えば、ＯＦＤＭ及び他のＯＭＡ方式、並びに対応するＯＭＡリソースが、ファイル転送プロトコル（ＦＴＰ）及びウルトラハイデフィニッション（Ｕ−ＨＤ）ビデオトラフィックのような比較的大きなパケット数／高レート送信のために使用されてよい。一方、ＮＯＭＡ方式及び対応するＮＯＭＡリソースは、とりわけボイスオーバーＩＰ（ＶｏＩＰ）、ゲーム、上位レイヤシグナリング、及びマシン型通信（ＭＴＣ）のような比較的小さいパケット数又は低レート送信のために使用されてよい。一方、ＯＭＡ方式の容量は、通常、ＮＯＭＡ方式より低くてよく、ＯＭＡ方式の容量損失は、ＯＭＡ方式が動作信号対干渉雑音比（ＳＩＮＲ）が通常大きい高レート送信のために使用される限り、わずかであってよい。
【００３１】
いくつかの実施形態において、ｅＮＢは、ｅＮＢに付随するＵＥが、異なる通信方式を使用して通信してよい複数の時間及び／又はスペクトル領域又はゾーン（すなわち、リソース要素のセット）を構成してよい。領域は、複数のリソース要素をそれぞれ含む、１又は複数のリソースブロックをそれぞれ備えてよい。領域は、静的（例えば、通常ランダムである、平均パケット到着時間に基づく）又は準統計的（例えば、数秒のオーダーの短期パケット／ＵＥ条件に基づく）にｅＮＢによって構成されて、時分割多重（ＴＤＭ）及び／又は周波数分割多重（ＦＤＭ）方式で動作してよい。利用可能なｅＮＢリソース全体におけるＮＯＭＡ領域の数及び配置は、ＵＥの数、ＵＥによるリソース全体の予測される使用（例えば、ＵＥ上でのアプリケーション動作）及びＵＥによって所望されるサービス品質（ＱｏＳ）ファクタのような他のファクタに依存するｅＮＢにより決定されてよい。ＵＥとの通信のためのｅＮＢリソースは、ＯＭＡ及びＮＯＭＡリソースを備える。時間及び／又は周波数ドメインにおけるＮＯＭＡ領域（従って、ＯＭＡ領域）の構成は、マスタ情報ブロック（ＭＩＢ）、システム情報ブロック（ＳＩＢ）、又はＵＥ固有専用ＲＲＣシグナリングを介するような上位レイヤシグナリングによりｅＮＢに付随する１又は複数のＵＥに予め定義又は提供されてよい。
【００３２】
いったん、ｅＮＢが領域の数及びタイプを決定すると、ｅＮＢは、適切なリソースを各ＵＥに割り当ててよい。いったん、リソースが割り当てられると、ｅＮＢは、１又は複数の割り当てられたＯＭＡ及び／又はＮＯＭＡ領域を示す各ＵＥと通信してよい。例えば、いくつかの実施形態において、ｅＮＢは、ＮＯＭＡリソースのみ、ＯＭＡリソースのみ、又はＮＯＭＡ及びＯＭＡリソースの両方を通信してよい。ｅＮＢは、単一のＮＯＭＡ領域を複数の付随ＵＥに割り当てて、必要に応じて、ＯＭＡリソースとしてのｅＮＢからのＮＯＭＡリソースの特定の使用を具体的に最初に要求することなく、これらのＵＥにＮＯＭＡ領域を使用させてよい。ｅＮＢは、リソースを通信するに加えて、リソースを使用して通信する場合にＵＥにより使用されるデータレートのような追加の通信情報を通信してもよい。通信情報は、リソース通信と同時に又はその後にＵＥに提供されてよい。唯一のタイプのリソース（例えば、ＮＯＭＡリソース）が特定のＵＥに提供されるいくつかの実施形態において、残りのリソースは、ＵＥによって、別のタイプのリソース（例えば、ＯＭＡ）に対してリザーブされることが決定されてよい。いくつかの実施形態において、ｅＮＢにより受信されたリソースは、ＳＩＢ又はＭＩＢにおいて予め定義されるそれらのように、他の手段により割り当てられたそれらに加えられてもよい。例えば、特定のＮＯＭＡリソースは予め定義されてよく、他のＮＯＭＡリソースはｅＮＢにより提供されてよい。
【００３３】
ＯＭＡタイプの通信と異なり、ＵＥがＮＯＭＡリソースの割り当て及び送信レートを受信した後、ＵＥがＮＯＭＡリソースを使用して、ｅＮＢからの追加の明示的な認証なしで、ＮＯＭＡ領域により、割り当てられたＮＯＭＡレートで又はそれ以下でデータを送信できてよい。換言すると、ＵＥは、ｅＮＢからのそのデータを送信するための明示的な認証を要求しないで、データを送信できてよい。いくつかの実施形態において、既に割り当てられているＮＯＭＡリソースを使用することにより、通信レイテンシ及び制御オーバヘッドが減ってよい。いくつかの実施形態において、ＵＥは、更新リソースを周期的に要求してよく、さもなければｅＮＢから受信してよい。この更新は、数百ミリ秒、数秒、又はより長いオーダーであってよい。例えば、ＵＥにより使用されているアプリケーションが変わると、ＵＥは、ＮＯＭＡリソースを使用することをもはや所望しない又はＯＭＡリソースの代わりにＮＯＭＡリソースを使用することを所望することとなる。代わりに、ＵＥの数及び／又は既存のＵＥにより使用される通信のタイプの変更が変わって、ｅＮＢが、利用可能なリソース全体におけるＯＭＡ／ＮＯＭＡリソースの比を調整することができるようになる。更新されたＮＯＭＡリソースは、以前に割り当てられたＮＯＭＡリソースと異なってよいし、同じでもよい。いくつかの実施形態において、ＮＯＭＡリソースが変わると、ＵＥは、更新された割り当てられたＮＯＭＡリソースを受信のみしてよい。故に、ＮＯＭＡリソースの割り当ては、初期アクセス手順中に実行される、又はＳＩＢ／ＭＩＢのような上記の制御シグナリングを使用して予め定義されてよい。例えば、上位レイヤシグナリングにより更新されることもできる。
【００３４】
いくつかの実施形態において、ＵＥが、リソースを使用して、割り当てられたＮＯＭＡレートより高レート又は大きなパケットサイズでデータを送信することを望む場合、ＮＯＭＡリソースを割り当てられているＵＥは、ＯＭＡリソースに対する明示的な認証を要求してよい。ＵＥは、物理リソースブロック（ＰＲＢ）又は変調及び符号化方法（ＭＣＳ）のような明示的なリソースを要求する、又はｅＮＢへのＯＭＡリソースの割り当てをそのままにしてよい。ＯＭＡリソースは、既にＵＥに割り当てられたＮＯＭＡリソースを置き換える又は追加してよい。いくつかの実施形態において、ＯＭＡリソースにより置き換えられているＮＯＭＡリソースは、ＵＥへのＯＭＡリソースの認証を示した後、ｅＮＢによって別のＵＥに再割り当てされてよい。認証は、ＮＯＭＡリソースの再割り当てのＵＥへの通知として提供してよく、又は、ｅＮＢは、再割り当てを示すＵＥへの個別の制御信号を提供してよい。
【００３５】
図３は、いくつかの実施形態に係る準直交多元接続（ＱＯＭＡ）領域の例を示す。示されるように、各リソース領域３００は、直交リソース（ＯＭＡ）領域３１０及び１又は複数の非直交リソース（ＮＯＭＡ）領域３２０、３３０に設計される複数のリソース要素３０２を含んでよい。図示の各リソース領域３００は、時間において１つのスロット及び周波数においてリソースブロックのサブキャリアのサブセットを備え、複数のリソースブロックにより形成されてよい。異なるＮＯＭＡ領域３２０、３３０は、複数の異なる形状、図３に示される例のいくつかのみを利用してよい。例えば、特定のＮＯＭＡ領域３２０、３３０は、周波数ドメイン上で拡げられる単一のシンボルに関連付けられたリソース要素を備えてよく、これにより、リソース領域３００内の時間ドメイン上で拡げられる単一サブキャリアに関連付けられた拡張周波数ダイバーシチ又はリソース要素により、より良いノイズ応答を提供し、これにより、拡張時間ダイバーシチによるより良い性能を提供する。
【００３６】
いくつかの実施形態において、特定のＮＯＭＡ領域３２０、３３０は、非重複シンボル及びサブキャリアに関連付けられたリソース要素を備え、それにより、図３内の最後の２つの例に示されるそれのように、すべてのサブキャリア及びすべてのシンボルはＮＯＭＡ領域において異なってよい。いくつかの実施形態において、特定のＮＯＭＡ領域３２０、３３０は、インターリーブされている異なるＮＯＭＡ領域３２０、３３０を用いて、単一のシンボルに関連付けられているリソース要素又は単一サブキャリアに関連付けられているリソース要素を備えてよい。各ＮＯＭＡ領域３２０、３３０に割り当てられるＵＥのサイズは、独立であってよい。一例において、ＮＯＭＡ領域は、図３に示されるように、同じサイズ（例えば、単一のリソースブロック）を有してよく、各ＮＯＭＡ領域に割り当てられるＵＥの同じ最大数を有してよい。別の例において、ＮＯＭＡ領域は、同じサイズを有してよく、各ＮＯＭＡ領域に割り当てられるＵＥの異なる最大数を有して、異なるＮＯＭＡ領域における異なるビットエラーレート（ＢＥＲ）及びＱｏＳを許可してよい。図３では不図示であるが、ＮＯＭＡ領域は、異なるサイズを有してよく、例えば、１つのＮＯＭＡ領域は、単一のリソースブロックから成ってよく、一方、別のＮＯＭＡ領域は複数のリソースブロックから成ってよい。ＮＯＭＡ領域は、同じ最大データレート及び／又はＭＣＳに関連付けられてよく、又は、同じ最大データレート及びＭＣＳの一方又は両方は、ＮＯＭＡ領域の間で変わってよい。ＮＯＭＡ領域の数及び区分は、ｅＮＢにより決定されるように、予測されるＮＯＭＡ要求及びアプリケーションタイプ（例えば、レイテンシ低減対ノイズ低減のアプリケーションの要求）とともに変わってよい。故に、ＵＥは、他の因子のうち、ＵＥタイプ及びＵＥに対するＱｏＳ及びチャネル状態に基づいて、特定のＮＯＭＡ領域を割り当てられてよい。
【００３７】
上記のとおり、特定のＵＥにＮＯＭＡ領域を割り当てることに加えて、ｅＮＢは、同時にＵＥに、ＮＯＭＡリソース、例えばコード及び時間／周波数割り当てとともに最大許容ＮＯＭＡレート及び／又は最大許容変調及び符号化方法（ＭＣＳ）を割り当ててよい。割り当てられた最大ＮＯＭＡレート及び／又はＭＣＳは、とりわけＵＥ、ＮＯＭＡ領域、及び動作条件に依存して変わってよい。故に、いくつかの実施形態において、ＮＯＭＡ領域に割り当てられた異なるＵＥは、異なるレート及び／又はＭＣＳを送信してよい。いくつかの実施形態において、ＵＥは、ｅＮＢにより割り当てられた最大より低い割合及び／又はＭＣＳ（例えば、ＱＰＳＫ及びコードレート１／２）を使用して、ＮＯＭＡ領域内で送信してよい。いくつかの実施形態において、複数のＮＯＭＡ領域は、ＵＥに割り当てられてよく、各ＮＯＭＡ領域は、予め定められたＭＣＳ及び／又はレート又はＭＣＳ及び／又はレートの範囲を有する。いくつかの実施形態において、ＵＥの送信パスのバッファ内の内部キューに含まれるように、相当量のデータが送信される場合、ＵＥは、ＯＭＡリソースを要求してよい。いくつかの実施形態において、ＮＯＭＡではなくＯＭＡ領域のみが、上位レイヤシグナリングにより予め定義及び／又は構成されてよい。いくつかの実施形態において、ＯＭＡ及びＮＯＭＡ領域の両方は、上位レイヤシグナリングにより予め定義及び／又は構成されてよい。
【００３８】
図４は、いくつかの実施形態に係るＱＯＭＡ法のフローチャートを示す。動作４１０にて、ｅＮＢにより供されるいくつか又はすべてのＵＥは、ｅＮＢにより１又は複数のＮＯＭＡリソースを割り当てられることができる。いくつかの実施形態において、初期アクセス手順中に、ＵＥは、最初に、初期ＵＥコンテキストセットアップ要求のような非アクセス層（ＮＡＳ）アタッチ要求を使用してｅＮＢを介してＭＭＥに登録することにより、ネットワークに接続してよい。要求に応答して、ｅＮＢは、ＮＯＭＡリソースをＵＥに割り当ててよい。ＮＯＭＡリソースは、１又は複数のＮＯＭＡ領域、非直交コード、及び／又は割り当てられたＮＯＭＡ領域のすべて又は一部を含んでよい。
【００３９】
動作４２０にて、ＵＥは、データが割り当てられたＮＯＭＡリソースにより送信されるべきかどうか、又はＯＭＡリソースが高レートでデータを送信することを所望されるかどうか判断する。後者の場合、ＵＥは、ＯＭＡリソースに対して、ｅＮＢから明示的な認証を要求してよい。いくつかの実施形態において、ＵＥにより送信されることを所望されるデータは、ＣＳＩフィードバック及び／又は上位レイヤシグナリングのようなＬ１，Ｌ２，又はＬ３シグナリングを含んでよい。
【００４０】
もし動作４２０にて、ＵＥが、現在のキューサイズが所望又は予め定められた閾値未満であると判断した場合、ＵＥは、動作４５０に示されるように、ＮＯＭＡ領域の割り当てられたＮＯＭＡリソースを使用してパケットを送信してよい。いくつかの実施形態において、割り当てられたＮＯＭＡリソースがＮＯＭＡ領域の使用を満たすのに十分である（例えば、送信レートが十分低い）と判断した後、ＵＥは、ｅＮＢからの明示的な認証なしで割り当てられたＮＯＭＡリソースを使用して、パケットを送信してよい。他の実施形態では、ＵＥは、ＮＯＭＡリソースを使用してデータを送信する前に、ｅＮＢから認証を要求してよい。
【００４１】
いくつかの実施形態において、動作４２０での決定は、ＵＥにより使用されるアプリケーション及び／又はｅＮＢに送信されるトラフィックのデータの特定のタイプに基づいてよい。例えば、ＭＴＣ又はＶｏＩＰパケット又は他の低レイテンシパケットは、割り当てられたＮＯＭＡ領域を使用して送信されてよく、一方、ＦＴＰトラフィックは、ＯＭＡ領域のうちの１つにより送信されてよい。ＮＯＭＡ送信は、アップリンクリソースの要求及び／又は認証に対する追加の手順が、自動的に、ｅＮＢからの明示的な認証なしでＮＯＭＡ領域リソースを使用できるＵＥにより回避される実施形態におけるレイテンシ並びに制御シグナリングオーバヘッドを低減することができてよい。
【００４２】
もし現在のキューサイズが所望又は予め定められた閾値より大きい又は等しい場合、割り当てられたＮＯＭＡリソースを介してデータを送信する代わりに、ＵＥは、動作４３０により示されるように、ＯＭＡリソースを明示的に要求してよい。ＯＭＡリソースに対する要求は、ＵＥにより、ＰＵＣＣＨ（又はＰＵＳＣＨ）を使用してｅＮＢに送信されるスケジューリング要求を介して行われてよい。
【００４３】
スケジューリング要求の送信に応答して、ＵＥは、例えばＵＥによってのみ使用される直交時間／周波数（ＯＭＡ）リソースのセットに対するスケジューリング認証を受信してよい。ＵＥは、次に、動作４４０にて、割り当てられたＯＭＡリソースによりバッファ処理データを送信してよい。いくつかの実施形態において、データは、スケジューリング認証においてｅＮＢにより割り当てられたＭＣＳ及び／又はレートで送信される。いくつかの実施形態において、データは、とりわけ、予め定められたＭＣＳ及び／又はレートで、又はＵＥにより報告されるＣＱＩ、ＡＣＫ／ＮＡＣＫレート、データの現在の量、及びＵＥカテゴリに基づいて送信されてよい。
【００４４】
ＯＭＡ又はＮＯＭＡリソースを使用して送信されるＵＥからのデータの受信に応答して、ｅＮＢは、肯定応答（ＡＣＫ）応答を送信してよい。いくつかの実施形態において、ＮＯＭＡ領域においてＮＯＭＡリソースを使用してＵＥにより送信され、明示的な要求がＵＥによりｅＮＢに送信されていないデータもｅＮＢからＵＥにて受信される認証も、例えば悪いチャネル状態又は送信間のコンフリクト（すなわち、ｅＮＢにて重複する複数のＵＥからのデータ）に起因して、ｅＮＢによって受信されなくてよい。拡散コードの使用がこの点において役立ってよい一方で、いくつか場合に、ｅＮＢに、異なるＵＥからの個々の送信をデコードできるようにすることが最終的に成功しなくてよい。これは、ＵＥが、ｅＮＢからのデータに対するＡＣＫ応答を受信しないことをもたらしてよい。この場合、ＵＥは、ハイブリッド自動再送要求（ＨＡＲＱ）再送信を採用してよい。
【００４５】
ＵＥは、上記の状況の下で、ｅＮＢからＡＣＫ応答を受信しない場合、複数のアクションのうちの１つを利用してよい。いくつかの実施形態において、ＵＥは、同じレート／ＭＣＳでＮＯＭＡリソースを使用して、次の機会に同じデータを再送信してよい。
【００４６】
ＵＥは、第１の再送回数がｅＮＢからのＡＣＫ応答を受信しないで超えられるまで、ＮＯＭＡリソースを使用して同様にデータの再送信を継続してよい。第１の再送回数の後、ＵＥは、依然ＮＯＭＡリソースを使用して、しかし異なる条件を使用して、次の機会に再送信を継続してよい。特に、ＵＥは、データの最初の伝送より低いレート及び／又はＭＣＳを使用して送信してよい。さらに、いくつかの実施形態において、複数のＭＣＳ及びＮＯＭＡ領域（又はサブ領域）が構成又は予め定義される場合、ＵＥは、Ｌａｙｅｒ１パケットセグメンテーションを使用してよい。Ｌａｙｅｒ１パケットセグメンテーションにおいて、ＵＥは、送信のために１又は複数のデータパケットをそれぞれより小さいユニットに分割してよい。ｅＮＢにおけるＨＡＲＱ再構成プロセスは、ｅＮＢに、欠落したセグメントを検出し、ＵＥに特定のセグメントを再送信することを要求できるようにしてよい。分割されたパケットは、同じ又は異なるＮＯＭＡ領域上で送信されてよい。
【００４７】
いくつかの実施形態において、第２の再送回数がｅＮＢからのＡＣＫ応答を受信しないで超えられていた後、ＵＥは、ｅＮＢが送信のためにアップリンクＯＭＡリソースを提供することを要求してよい。上記のとおり、要求は、ＰＵＣＣＨ又はＰＵＳＣＨによりｅＮＢに送信されるスケジューリング要求に基づいてよい。それに応じて、ｅＮＢは、ＯＭＡリソースの認証を、認証を受信するとＯＭＡリソースを使用してデータを再送信するＵＥに送信してよい。再送信は、データの最初の伝送のレート及びＭＣＳを使用してよい、又はデータの最初の伝送（又は再送信）より高くても低くてもよい（すなわち、独立の）別のレート及び／又はＭＣＳを使用してよい。
【００４８】
第１及び第２の送信回数は同じでよく、第２の送信回数は第１の送信回数より大きくてよい（例えば、第１の送信回数は４であってよく、第２の送信回数は５であってよい）。第１及び第２の送信回数は、予め定められてよく、又は１又は複数の動的ファクタに依存してよい。ファクタは、とりわけ、データ、トラフィックタイプ、割り当てられたＮＯＭＡ領域のサイズ、（例えば、測定されたＣＱＩにより決定されるような）チャネル状態、送信するデータ量、及びＵＥカテゴリを提供するアプリケーションを含んでよい。第１及び第２の送信回数のそれぞれに対するファクタは、同じでも異なってもよい。第１及び第２の再送回数のみが説明されるが、使用されるＭＣＳ、レート、コーディング、又は領域が変わってよい任意の数の段階が使用されてよい。
【００４９】
いくつかの実施形態において、バックオフメカニズムが採用されてもよく、これにより、ＵＥは、データを再送信する前に予め定められ量の時間の間、待機してよい。上記のとおり、待機時間は、上記のファクタに依存してよく、ＵＥが試みている再送信の段階に依存して（例えば、第１の再送回数を超える前、第１の再送回数を超えた後、しかし第２の再送回数を超える前、等）同じでも異なってもよい。
【００５０】
例１は、ユーザ機器（ＵＥ）の装置であって、準直交多元接続（ＱＯＭＡ）領域内のＱＯＭＡリソースを使用して拡張ノードＢ（ｅＮＢ）と通信するよう構成されたトランシーバであり、ＱＯＭＡ領域は、直交多元接続（ＯＭＡ）領域及び非直交多元接続（ＮＯＭＡ）領域を含み、ＯＭＡ領域は、ＵＥが直交リソースに割り当てられたＯＭＡリソースを含み、ＮＯＭＡ領域は、ＵＥが非直交リソースに割り当てられたＮＯＭＡリソースを含む、トランシーバと、処理回路であり、ＱＯＭＡリソースの割り当てを受信するようトランシーバを構成し、ＱＯＭＡリソースはＮＯＭＡリソース及びＯＭＡリソースを含み、送信されるデータが少なくとも１つの予め定められた条件に適合することの判断に応答して、ＮＯＭＡリソースを使用してデータを送信するようトランシーバを構成し、送信されるデータが少なくとも１つの予め定められた条件に適合しないことの判断に応答して、ＯＭＡリソースを使用してデータを送信するようトランシーバを構成する、よう設けられる処理回路と、を備える装置である。
【００５１】
例２において、例１の主題は、任意で、少なくとも１つの予め定められた条件は、最大許容ＮＯＭＡレート未満で送信されるデータ及び予め定められた数未満のパケットを有するデータを含むことを含む。
【００５２】
例３において、例２の主題は、任意で、処理回路は、マスタ情報ブロック、システム情報ブロック、及びＵＥ固有の専用無線リソース制御シグナリングのうちの少なくとも１つを含む上位レイヤシグナリングにより、ｅＮＢとのＵＥの初期接続中のＮＯＭＡリソースの割り当てを受信するようトランシーバを構成するよう設けられることを含む。
【００５３】
例４において、例３の主題は、任意で、処理回路は、ＮＯＭＡリソースの割り当てとともに最大許容ＮＯＭＡレート及び最大許容ＮＯＭＡ変調及び符号化方法（ＭＣＳ）のうちの少なくとも１つの割り当てを受信するようトランシーバを構成し、最大許容ＮＯＭＡレート及び最大許容ＮＯＭＡ  ＭＣＳのうちの少なくとも１つを超えるとＮＯＭＡリソースを使用してデータを送信することを控えるようトランシーバを構成する、よう設けられることを含む。
【００５４】
例５において、例１から４のいずれか１つ又は複数の主題は、任意で、処理回路は、ｅＮＢからデータを送信するための明示的な認証を受信しないで、ＮＯＭＡリソースを使用してデータを送信するようトランシーバを構成する、よう設けられることを含む。
【００５５】
例６において、例１から５のいずれか１つ又は複数の主題は、任意で、ＯＭＡ及びＮＯＭＡリソースは、静的又は準統計的に、時分割多重（ＴＤＭ）及び周波数分割多重（ＦＤＭ）方式のうちの少なくとも１つにおいて構成されることを含む。
【００５６】
例７において、例１から６のいずれか１つ又は複数の主題は、任意で、処理回路は、少なくとも１つの予め定められた条件に適合しないデータが送信されるべきであることを判断し、ｅＮＢにＯＭＡリソースのための要求を送信して、送信されるべきデータが前記少なくとも１つの予め定められた条件に適合しないとする判断に応答してデータを送信するようトランシーバを構成し、要求の送信に応答して、ＯＭＡリソースの明示的な認証を受信するようトランシーバを構成し、認証は、１又は複数の時間及び周波数リソース及びＯＭＡ領域に関連する変調符号化方法（ＭＣＳ）を含む、よう設けられることを含む。
【００５７】
例８において、例１から７のいずれか１つ又は複数の主題は、任意で、ＱＯＭＡ領域は、複数のＮＯＭＡ領域を含み、各ＮＯＭＡ領域は異なるＮＯＭＡリソースを含み、ＵＥに割り当てられたＮＯＭＡリソースは、ＵＥタイプ、データタイプ、及びＵＥに対するサービス品質（ＱｏＳ）のうちの少なくとも１つに依存することを含む。
【００５８】
例９において、例１から８のいずれか１つ又は複数の主題は、任意で、処理回路は、データの最初の伝送に対する肯定（ＡＣＫ）応答がｅＮＢから受信されていないとする判断に応答して、データの最初の伝送に関連付けけられるデータレート及び変調及び符号化方法（ＭＣＳ）を使用して、ＮＯＭＡリソースを使用してデータを再送信するよう設けられることを含む。
【００５９】
例１０において、例９の主題は、任意で、処理回路は、ｅＮＢからのＡＣＫ応答を受信しないで第１の予め定められた再送回数が超えたことの判断に応答して、データを、ＮＯＭＡリソース及びデータの最初の伝送に関連付けられたデータレート及びＭＣＳより低いデータレート及びＭＣＳのうちの少なくとも１つを使用して再送信するよう設けられることを含む。
【００６０】
例１１において、例１０の主題は、任意で、処理回路は、ｅＮＢからのＡＣＫ応答を受信しないで第２の予め定められた再送回数が超えたことの判断に応答して、ＯＭＡリソースに対してＵＥに要求を送信し、ＯＭＡリソースの認証の受信に応答して、ＯＭＡリソースを使用してデータを再送信するよう設けられることを含む。
【００６１】
例１２において、例１から１１のいずれか１つ又は複数の主題は、任意で、さらに、トランシーバ及びｅＮＢの間の通信を送信及び受信するよう構成されたアンテナを備えることを含む。
【００６２】
例１３は、拡張ノードＢ（ｅＮＢ）の装置であって、ＱＯＭＡ領域内の準直交多元接続（ＱＯＭＡ）リソースを使用して複数のユーザ機器（ＵＥ）と通信するよう構成されたトランシーバであり、ＱＯＭＡ領域は、直交多元接続（ＯＭＡ）領域及び非直交多元接続（ＮＯＭＡ）領域を含み、ＯＭＡ領域はＵＥが直交リソースに割り当てられるＯＭＡリソースを含み、ＮＯＭＡ領域は、ＵＥが非直交リソースに割り当てられるＮＯＭＡリソースを含む、トランシーバと、処理回路であり、少なくとも１つのＮＯＭＡ領域の数及び区分を判断し、ＱＯＭＡリソースの割り当てを複数のＵＥのそれぞれに送信するようトランシーバを構成し、ＱＯＭＡリソースは、ＮＯＭＡリソース及びＯＭＡリソースを含み、ＮＯＭＡリソースを使用してＮＯＭＡリソースに割り当てられたＵＥから第１のデータを受信するようトランシーバを構成し、第１のデータは少なくとも１つの予め定められた条件に適合する、よう設けられる処理回路と、を備える。
【００６３】
例１４において、例１３の主題は、任意で、少なくとも１つの予め定められた条件は、最大許容ＮＯＭＡレート未満で送信されるデータ及び予め定められた数未満のパケットを有するデータを含むことを含む。
【００６４】
例１５において、例１４の主題は、任意で、処理回路は、マスタ情報ブロック、システム情報ブロック、及びＵＥ固有の専用無線リソース制御シグナリングのうちの少なくとも１つを含む上位レイヤシグナリングにより、ＵＥのｅＮＢとの初期接続中に、ＮＯＭＡリソースの割り当てを送信するようトランシーバを構成する、よう設けられることを含む。
【００６５】
例１６において、例１５の主題は、任意で、処理回路は、ＮＯＭＡリソースの割り当てとともに最大許容ＮＯＭＡレート及び最大許容ＮＯＭＡ変調及び符号化方法（ＭＣＳ）のうちの少なくとも１つの割り当てを送信するようトランシーバを構成し、第１のデータは、最大許容ＮＯＭＡレート及び最大許容ＮＯＭＡ  ＭＣＳを超えて送信されるデータを含まない、よう設けられることを含む。
【００６６】
例１７において、例１３から１６のいずれか１つ又は複数の主題は、任意で、処理回路は、ｅＮＢからデータを送信するための明示的な認証を受信しないで、ＮＯＭＡリソースを使用してデータを受信するようトランシーバを構成する、よう設けられることを含む。
【００６７】
例１８において、例１３から１７のいずれか１つ又は複数の主題は、任意で、ＱＯＭＡ領域は、複数のＮＯＭＡ領域を含み、各ＮＯＭＡ領域は異なるＮＯＭＡリソースを含み、各ＵＥに割り当てられるＮＯＭＡリソースは、ＵＥタイプ、データタイプ、及びＵＥに対するサービス品質（ＱｏＳ）のうちの少なくとも１つに依存する、ことを含む。
【００６８】
例１９において、例１８の主題は、任意で、ＮＯＭＡ領域は、これに割り当てられることができるＵＥのサイズ及び最大数に関して互いに独立であることを含む。
【００６９】
例２０において、例１８から１９のいずれか１つ又は複数の主題は、任意で、処理回路は、予測されるＮＯＭＡ要求及びアプリケーションタイプを用いてＮＯＭＡ領域の数及び区分を判断する、よう設けられることを含む。
【００７０】
例２１において、例１８から２０のいずれか１つ又は複数の主題は、任意で、処理回路は、ＮＯＭＡリソースを使用するために割り当てられた第１のＵＥからＯＭＡリソースに対する要求を受信するようトランシーバを構成し、要求の受信に応答して、第１のＵＥにＯＭＡリソースの認証を送信し、第１のＵＥに認証を送信した後、第１のＵＥに割り当てられたＮＯＭＡリソースを別のＵＥに再割り当てする、よう設けられることを含む。
【００７１】
例２２は、ユーザ機器（ＵＥ）を拡張型ノードＢ（ｅＮＢ）と通信するよう構成するＵＥの１又は複数のプロセッサによる実行のための命令を格納する非一時的コンピュータ読み取り可能記憶媒体であり、１又は複数のプロセッサは、ＵＥを、ＱＯＭＡ領域内の準直交多元接続（ＱＯＭＡ）リソースの割り当てを受信し、ＱＯＭＡ領域は、直交多元接続（ＯＭＡ）領域及び非直交多元接続（ＮＯＭＡ）領域を含み、ＯＭＡ領域は、ＵＥが直交リソースに割り当てられるＯＭＡリソースを含み、ＮＯＭＡ領域は、ＵＥが非直交リソースに割り当てられるＮＯＭＡリソースを含み、ＱＯＭＡ領域は、直交多元接続（ＯＭＡ）領域及び非直交多元接続（ＮＯＭＡ）領域を含み、ＯＭＡ領域は、ＵＥが直交リソースに割り当てられるＯＭＡリソースを含み、ＮＯＭＡ領域は、ＵＥが非直交リソースに割り当てられるＮＯＭＡリソースを含み、最大許容ＮＯＭＡレート及び最大許容ＮＯＭＡ変調及び符号化方法（ＭＣＳ）の割り当てを受信し、ＮＯＭＡリソースを使用して第１のセットのデータを送信し、第１のセットのデータは、多くとも予め定められた数のパケットを含み、多くとも最大許容ＮＯＭＡレート及び最大許容ＮＯＭＡ  ＭＣＳで送信され、ＯＭＡリソースを使用して第２のセットのデータを送信し、第２のセットのデータは、予め定められた数より多いパケットのうちの少なくとも１つを含み、最大許容ＮＯＭＡレート及び最大許容ＮＯＭＡ  ＭＣＳより大きいもののうちの少なくとも１つで送信される、よう構成する。
【００７２】
例２３において、例２２の主題は、任意で、ＵＥは、ｅＮＢからの第１のデータを送信するための明示的な認証を受信しないで、ＮＯＭＡリソースを使用して第１のデータを送信する、よう構成されることを含む。
【００７３】
例２４において、例２２から２３のいずれか１つ又は複数の主題は、任意で、ＵＥは、第１のデータの最初の伝送に対する肯定（ＡＣＫ）応答がｅＮＢから受信されていないとする判断に応答して、第１のデータの最初の伝送に関連付けられるデータレート及びＭＣＳを使用して、ＮＯＭＡリソースを使用して第１のデータを再送信する、よう設けられることを含む。
【００７４】
例２５において、例２３から２４のいずれか１つ又は複数の主題は、任意で、ＵＥは、ｅＮＢからのＡＣＫ応答を受信しないで第１の予め定められた再送回数が超えたことの判断に応答して、ＮＯＭＡリソース及び第１のデータの最初の伝送に関連付けられるデータレート及びＭＣＳより低いデータレート及びＭＣＳのうちの少なくとも１つを使用して第１のデータを再送信すること、ｅＮＢからのＡＣＫ応答を受信しないで第２の予め定められた再送回数が超えたことの判断に応答して、ＵＥにＯＭＡリソースに対する要求を送信すること、及び、ＯＭＡリソースの認証の受信に応答して、ＯＭＡリソースを使用してデータを再送信すること、の少なくとも１つを実行する、よう設けられることを含む。
【００７５】
実施形態が具体例の実施形態を参照して説明されたが、本開示の広範な趣旨及び範囲から逸脱することなく、様々な修正及び変更がこれらの実施形態に対して行われ得ることは明らかであろう。従って、明細書及び図面は、限定的な意味ではなく例示的な意味とみなされるべきである。本明細書の一部を形成する添付の図面は、主題が実行されてよい具体的な実施形態を例示として示すものであり、限定するものではない。示される実施形態は、当業者が本明細書に開示された教示を実行できるように十分に詳細に説明される。他の実施形態はそこから利用及び導出されてよく、それにより、この開示の範囲から逸脱することなく、構造的及び論理的な置換及び変更が行われてよい。従って、この詳細な説明は、限定的な意味で解釈されるべきでなく、様々な実施形態の範囲は、そのような主張が認められる均等物の全範囲とともに、添付の特許請求の範囲によってのみ定義される。
【００７６】
発明の主題のそのような実施形態は、単に便宜のために用語「発明」により個別に及び／又は集合的に本明細書で参照されてよく、１より多くが実際に開示される場合、任意の単一の発明又は発明の概念に、本出願の範囲を自発的に限定することを意図するものではない。故に、具体的な実施形態が図示され本明細書に記載されているが、同じ目的を実現するよう意図された任意の構成は、示された具体的な実施形態に代用されることが理解されるべきである。この開示は、様々な実施形態の任意及びすべての適合又は変形を網羅することを意図する。上記の実施形態の組み合わせ及び本明細書で具体的に説明されない他の実施形態は、上記の説明を検討することにより、当業者に明らかであろう。
【００７７】
本明細書において、用語「ある（ａ）」又は「ある（ａｎ）」は、特許文献で共通の通り使用され、「少なくとも１つ」又は「１又は複数」に係る任意の他の例若しくは用法とは別に、１又は１より多いものを含む。本明細書において、用語「又は」は、別途の指示がない限り、非排他的なものを指すために使用され、それにより「Ａ又はＢ」は「ＢではなくＡ」、「ＡではなくＢ」、及び「Ａ及びＢ」を含む。本明細書において、「含む（ｉｎｃｌｕｄｉｎｇ）」及び「そこに（ｉｎ  ｗｈｉｃｈ）」という用語は、それぞれ「含む（ｃｏｍｐｒｉｓｉｎｇ）」及び「そこに（ｗｈｅｒｅｉｎ）」という用語の平易な英語の同義語として使用される。また、以下の特許請求の範囲において、「含む（ｉｎｃｌｕｄｉｎｇ）」及び「備える（ｃｏｍｐｒｉｓｉｎｇ）」という用語は制約がなく、つまり、列挙された要素に加えて要素を請求項のそのような用語の後に含むシステム、ＵＥ、物品、構成、製法、又はプロセスが、依然としてその請求項の範囲内に含まれるとみなされる。さらに、以下の特許請求の範囲において、用語「第１の」、「第２の」及び「第３の」等は単にラベルとして使用されており、それらの対象物への数的要件を課すことを意図しない。
【００７８】
開示の要約は、技術的な開示の本質を読み手に迅速に確認させることを可能にするであろう要約を要求する連邦規則法典集第３７巻１．７２章に従って提供される。それは、特許請求の範囲又は意味を解釈するため、あるいは限定するためには使用されないであろうという理解のもとに提出されている。また、上記の詳細な説明において、効率的に開示する目的のため、単一の実施形態に様々な特徴が共にまとめられていることがわかる。この開示の方法は、特許請求された実施形態が各請求項に明示的に記載されたものより多くの特徴を必要とするとの意図を反映するものとして解釈されるべきでない。むしろ、以下の特許請求の範囲のように、発明の主題は、単一の開示された実施形態のすべての特徴より小さいものである。故に、以下の特許請求の範囲はここで詳細な説明に組み込まれ、各請求項は個別の実施形態としてそれ自体で成り立っている。
【図１】
0006606735.tif 000003
【図２】
0006606735.tif 000004
【図３】
0006606735.tif 000005
【図４】
0006606735.tif 000006